(57)【要約】【課題】  折畳み自在なロプスの支柱部の下構成部と上構成部との連結部分をコンパクトにすると共に、支柱部を折り畳んだときにおける下構成部の上端面と被支持ブラケットの背面とが成す角度を鈍角にする。【解決手段】  支柱部７の下構成部７Ａの背面上端側に支持ブラケット１４を設け、この支持ブラケット１４の左右両側に位置する左右一対の被支持ブラケット１９を上構成部７Ｂの下端側に設け、これら支持ブラケット１４と被支持ブラケット１９とにわたって回動支軸２３を貫通させることにより下構成部７Ａに上構成部７Ｂを左右軸回りに回動自在に連結し、被支持ブラケット１９の背面１９ａを、回動支軸２３の軸心から被支持ブラケット１９の上下端縁１９ｂまでの距離よりも大きな半径の円弧面であって、回動支軸２３を支点とし且つ該回動支軸２３の軸心から被支持ブラケット１９の上下端縁１９ｂまでの距離を半径とする円弧よりも前方側に位置する円弧面に形成し、前記下構成部材７Ａの上端面９を前方に行くに従って下方に移行する傾斜面に形成する。【選択図】図１
2006256509.tif 000002
【特許請求の範囲】
【請求項１】
車体（４）側に立設された下構成部（７Ａ）と、この下構成部（７Ａ）の上方側に配置されていてその下端側が下構成部（７Ａ）の上端側に左右方向の軸心を有する回動支軸（２３）廻りに回動自在に連結された上構成部（７Ｂ）とから主構成された支柱部（７）を有し、上構成部（７Ｂ）が下構成部（７Ａ）の上方に位置する使用姿勢から上構成部（７Ｂ）を回動支軸（２３）回りに後回りに回動させることにより支柱部（７）が折畳み自在とされた走行車輌のロプス装置において、
前記支柱部（７）の下構成部（７Ａ）の背面上端側に支持ブラケット（１４）を設け、この支持ブラケット（１４）の左右両側に位置する左右一対の被支持ブラケット（１９）を上構成部（７Ｂ）の下端側に設け、これら支持ブラケット（１４）と被支持ブラケット（１９）とにわたって前記回動支軸（２３）を貫通させることにより下構成部（７Ａ）に上構成部（７Ｂ）を回動自在に連結し、前記被支持ブラケット（１９）の背面（１９ａ）を、回動支軸（２３）の軸心から被支持ブラケット（１９）の上下端縁（１９ｂ）までの距離よりも大きな半径の円弧面であって、回動支軸（２３）を支点とし且つ該回動支軸（２３）の軸心から被支持ブラケット（１９）の上下端縁（１９ｂ）までの距離を半径とする円弧よりも前方側に位置する円弧面に形成し、前記下構成部材（７Ａ）の上端面（９）を前方に行くに従って下方に移行する傾斜面に形成したことを特徴とする走行車輌のロプス装置。
【請求項２】
支持ブラケット（１４）に回動支軸（２３）の下方側に位置する係止孔（１８）を形成し、使用姿勢と折畳み姿勢とにおいて、ロックピン（２５）を被支持ブラケット（１９）を貫通して係止孔（１８）に挿通することにより支柱部（７）の姿勢を保持するように構成したことを特徴とする請求項１に記載の走行車輌のロプス装置。
【発明の詳細な説明】
【技術分野】
【０００１】
本発明は、走行車輌のロプス装置に関するものである。
【背景技術】
【０００２】
従来、トラクタの車体に立設されたロプスの支柱部の中途部を屈曲自在に構成して該ロプスを折畳み自在としたものがある（特許文献１参照）。
このロプスにあっては、支柱部を下部側の下構成部と、上部側の上構成部とに分割し、下構成部を車体に立設すると共に、上構成部の下端側を下構成部の上端側に左右方向の軸心を有する回動支軸廻りに回動自在に連結している。
下構成部の上端側には、該下構成部の左右両側に位置すると共に後方に突出状とされた左右一対の支持ブラケットが固定され、上構成部の背面下端側には前記支持ブラケット間に配置された被支持ブラケットが固定され、前記支持ブラケットと被支持ブラケットとにわたって前記回動支軸を貫通させることにより下構成部に上構成部が回動自在に連結されており、下構成部の上方に上構成部が位置する使用姿勢から上構成部を回動支軸回りに後回りに回動させることにより支柱部が折畳み自在とされている。
【０００３】
なお、前記ロプスにあっては、支持ブラケットに、回動支軸の上方側と下方側に位置する上下一対の係止孔が設けられ、被支持ブラケットには、左右の支持ブラケット間にわたるガイド筒が設けられ、使用姿勢にあるときには、上側の係止孔とガイド筒とにわたってロックピンを挿通し、折畳み姿勢にあるときには、下側の係止孔とガイド筒とにわたってロックピンを挿通することによって支柱部の姿勢を保持するように構成している。
【特許文献１】特開平１１−３２１５０３号公報
【発明の開示】
【発明が解決しようとする課題】
【０００４】
前記従来のロプスにあっては、左右の支持ブラケットの背面側が回動支軸の軸心から被支持ブラケットの上下端縁までの距離を半径とする円弧面に形成されていて、支柱部から比較的大きく後方に突出しており、見た目が悪いと共に、支持ブラケットがコスト高となっている。
そこで、下構成部と上構成部との連結部分をコンパクトにしたいという要望がある。
また、支柱部の下構成部の背面上端側に支持ブラケットを設け、この支持ブラケットの左右両側に位置する左右一対の被支持ブラケットを上構成部の下端側に設け、これら支持ブラケットと被支持ブラケットとにわたって前記回動支軸を貫通させることにより下構成部に上構成部を回動自在に連結したいという要望がある。
【０００５】
この場合に、被支持ブラケットの背面を、回動支軸の軸心から被支持ブラケットの上下端縁までの距離よりも大きな半径の円弧面であって、回動支軸の軸心から被支持ブラケットの上下端縁までの距離を半径とする円弧よりも前方側に位置する円弧面に形成して、下構成部と上構成部との連結部分をコンパクトにした場合、支柱部を折り畳んだときに下構成部の上端側が露出することとなるが、この支柱部を折り畳んだときにおける下構成部の上端面と被支持ブラケットの背面とが成す角度を鈍角にしたいという要望がある。
そこで、本発明は、前記要望を満たす走行車輌のロプス装置を提供することを目的とする。
【課題を解決するための手段】
【０００６】
前記技術的課題を解決するために本発明が講じた技術的手段は、車体側に立設された下構成部と、この下構成部の上方側に配置されていてその下端側が下構成部の上端側に左右方向の軸心を有する回動支軸廻りに回動自在に連結された上構成部とから主構成された支柱部を有し、上構成部が下構成部の上方に位置する使用姿勢から上構成部を回動支軸回りに後回りに回動させることにより支柱部が折畳み自在とされた走行車輌のロプス装置において、
前記支柱部の下構成部の背面上端側に支持ブラケットを設け、この支持ブラケットの左右両側に位置する左右一対の被支持ブラケットを上構成部の下端側に設け、これら支持ブラケットと被支持ブラケットとにわたって前記回動支軸を貫通させることにより下構成部に上構成部を回動自在に連結し、前記被支持ブラケットの背面を、回動支軸の軸心から被支持ブラケットの上下端縁までの距離よりも大きな半径の円弧面であって、回動支軸を支点とし且つ該回動支軸の軸心から被支持ブラケットの上下端縁までの距離を半径とする円弧よりも前方側に位置する円弧面に形成し、前記下構成部材の上端面を前方に行くに従って下方に移行する傾斜面に形成したことを特徴とする。
【０００７】
また、支持ブラケットに回動支軸の下方側に位置する係止孔を形成し、使用姿勢と折畳み姿勢とにおいて、ロックピンを被支持ブラケットを貫通して係止孔に挿通することにより支柱部の姿勢を保持するように構成するのがよい。
【発明の効果】
【０００８】
本発明によれば、ロプスの支柱部の下構成部と上構成部との連結部分をコンパクトにすることができるとともに、支柱部を折り畳んだときにおける下構成部の上端面と被支持ブラケットの背面とが成す角度を鈍角にすることができる。
【発明を実施するための最良の形態】
【０００９】
以下、本発明の実施の形態を図面を参照して説明する。
図２において、１は左右一対の前輪２と左右一対の後輪３とを有する２軸４輪型のトラクタであり、その車体４の後部で且つ運転席５の後方側にはロプス６が、やや後傾状に立設されて設けられている。
このロプス６は、図１〜図４に示すように、左右一対の支柱部７と、この左右の支柱部７の上端側を連結する連結部８とから背面視門型状に形成されている。
左右の支柱部７は、下部側の下構成部７Ａと、上部側の上構成部７Ｂとから構成され、それぞれ角筒材から構成されている。
【００１０】
なお、左右の上構成部７Ｂと連結部８とは、１本の角筒材をコ字形に折曲させることにより一体形成されている。
上構成部７Ｂの上端面９は前方に行くに従って下方に移行する傾斜面に形成されている。
トラクタ１の車体４の後部を構成するミッションケースの左右両側には、後車軸及び後輪３を支持する後車軸ケース１０が設けられ、左右各後車軸ケース１０上に、左右の後輪３を覆うフェンダ１１を支持するフェンダブラケット１２が上方突出状に固定されている。
【００１１】
このフェンダブラケット１２は本体部１２Ａが前方開放状のコ字形に形成され、下端側にベースプレート１２Ｂが固定されており、このベースプレート１２Ｂは後車軸ケース１０上に載置されている。
一方、後車軸ケース１０の下面側には取付板１３が配置され、この取付板１３と前記ベースプレート１２Ｂとをボルト・ナットとで締結することにより、後車軸ケース１０にフェンダブラケット１２が取付固定されている。
前記下構成部７Ａの背面上端側には支持ブラケット１４が溶接等によって固定されている。
【００１２】
この支持ブラケット１４は、下構成部７Ａの左右幅と略同幅に形成されており、左右の側壁部１５と、左右側壁部１５の上端側を連結する上壁部１６とから、板材を折曲することによりコ字形に一体形成されている。
この支持ブラケット１４の左右の側壁部１５の上部には、左右方向の軸心を有する支持孔１７が貫通形成され、左右の側壁部１５の下部には、左右方向の軸心を有する係止孔１８が貫通形成されている。
上構成部７Ｂの下端側には、該上構成部７Ｂの左右両側に位置する被支持ブラケット１９が溶接等によって固定されている。
【００１３】
左右の被支持ブラケット１９は、上構成部７Ｂから下構成部７Ａの左右両側へと下方に突出状とされると共に支柱部７から後方に突出状とされており、前記支持ブラケット１４は左右の被支持ブラケット１９間に位置する。
また、左右の被支持ブラケット１９の正面側端縁同士は連結壁２０によって連結されており、これら左右の被支持ブラケット１９と連結壁２０とは、板材を折曲することによりコ字形に一体形成されている。
左右各被支持ブラケット１９の後部側（支柱部７から後方に突出する部分）には、上下方向中央部に左右方向の軸心を有する被支持孔２１が貫通形成されていると共に、この被支持孔２１の上方位置及び下方位置に左右方向の軸心を有する被係止孔２２Ａ，２２Ｂが貫通形成されている。
【００１４】
支持ブラケット１４の左右の支持孔１７及び被支持ブラケット１９の左右の被支持孔２１に亘って頭付きボルトからなる回動支軸２３が挿通されていると共に、この回動支軸２３のネジ部にナット２４が螺合されており、これによって、下構成部７Ａの上端側に上構成部７Ｂの下端側が左右軸回りに回動自在に連結され、上構成部７Ｂが下構成部７Ａの上方に位置していて支柱部７が略直線状とされた使用姿勢から上構成部７Ｂを回動支軸２３回りに後回りに回動させることにより支柱部７が折畳み自在とされている。
なお、連結壁２０が下構成部７Ａの正面上端側に接当することにより、上構成部７Ｂの前回りの回動が規制される。
【００１５】
また、使用姿勢において、支持ブラケット１４の左右の係止孔１８と被支持ブラケット１９の下側の左右の被係止孔２２Ｂとに亘ってロックピン２５を挿通させることにより、また、折畳み姿勢において、支持ブラケット１４の左右の係止孔１８と被支持ブラケット１９の上側の左右の被係止孔２２Ａとに亘ってロックピン２５を挿通させることにより、支柱部７が各姿勢に保持されるように構成されている。
なお、回動支軸２３の頭部２３ａ及びロックピン２５の一端側にはリング体からなる摘み部材２６，２７が固定され、ロックピン２５の他端側には抜止めピン２８が挿脱自在に挿通されている。
【００１６】
摘み部材２７によってロックピン２５の挿通方向への移動規制がなされ、抜止めピン２８によってロックピン２５の抜脱方向の移動が規制されている。
また、抜止めピン２８に設けられたリング部材２９には紐体３０の一端側が連結され、この紐体３０は回動支軸２３の頭部２３ａに設けられた摘み部材２６を挿通し、該紐体３０の他端側はロックピン２５に設けられた摘み部材２７に連結されている。
前記被支持ブラケット１９の背面１９ａは、回動支軸２３の軸心から被支持ブラケット１９の上下端縁１９ｂまでの距離よりも大きな半径の円弧面であって、回動支軸２３を支点とし且つ該回動支軸２３の軸心から被支持ブラケット１９の上下端縁１９ｂまでの距離を半径とする円弧よりも前方側に位置する円弧面に形成されていて、被支持ブラケット１９の支柱部７からの後方突出量が少なく、下構成部７Ａと上構成部７Ｂとの連結部分がコンパクトになるように構成されている。
【００１７】
また、被支持ブラケット１９の支柱部７からの後方突出量が少ないと、支柱部７を折り畳んだ状態において、下構成部７Ａの上端側が被支持ブラケット１９から露出することとなるが、下構成部７Ａの上端面９が前下がり傾斜状の傾斜面とされていることから、被支持ブラケット１９の背面１９ａの円弧面と下構成部７Ａの上端面９との成す角度が比較的大きな鈍角となるように構成されている。
【図面の簡単な説明】
【００１８】
【図１】ロプス支柱部を折り畳んだ状態を示す支柱部の中途部の側面断面図である。
【図２】（ａ）はトラクタの側面図、（ｂ）はロプス装置の背面図である。
【図３】ロプス装置の側面図である。
【図４】ロプス支柱部の、下構成部と上構成部との連結部分の背面断面図である。
【符号の説明】
【００１９】
４    車体
７    支柱部
７Ａ  下構成部
７Ｂ  上構成部
９    上端面
１４    支持ブラケット
１８    係止孔
１９    被支持ブラケット
１９ａ  背面
１９ｂ  上下端縁
２３    回動支軸
２５    ロックピン
【図１】
2006256509.tif 000003
【図２】
2006256509.tif 000004
【図３】
2006256509.tif 000005
【図４】
2006256509.tif 000006